【事件の表示】
　特許第３０１２４６２号「導光板並びにこれを用いた面光源及び非発光型表示装置」の請求項１ないし１２に係る特許に対する特許異議の申立てについて、次のとおり決定する。
【結　論】
　訂正を認める。
　特許第３０１２４６２号の請求項１ないし１１に係る特許を取り消す。
【理　由】
１．手続きの経緯
　本件特許第３０１２４６２号に係る出願は平成６年９月２６日に出願されたものであって、平成１１年１２月１０日にその設定登録がなされ、その後、三浦敬明、長谷川孝子及び酒井和義より特許異議の申立てがなされ、取消理由通知がなされ、その指定期間内である平成１３年１月１５日に訂正請求がなされたものである。
　
２．訂正の適否についての判断
（１）訂正の内容
　訂正の内容は、特許請求の範囲の請求項１の、
「【請求項１】端面から入射される光を第１平面から出射させる導光板であって、該第１平面と対向する第２面に、複数の頂線と谷線とを備えたプリズムアレイが形成され、該複数の頂線に接する仮想面と該プリズムアレイの各プリズムの一方側の面とのなす角度αは空気に対する該導光板の臨界角に略等しく、該仮想面と該プリズムアレイの各プリズムの他方側の面とのなす角度βが該角度αより小さい、ことを特徴とする導光板。
【請求項２】上記臨界角は４２゜であり、上記角度αは４３゜であり、上記角度βは１０゜以下であり、上記プリズムアレイにおけるプリズム深さは５〜５０μｍであることを特徴とする請求項１記載の導光板。
【請求項３】上記端面が凸形状であることを特徹とする請求項１記載の導光板。
【請求項４】上記角度βは、上記端面から離れるほど大きくなっていることを特徴とする請求項１記載の導光板。
【請求項５】上記第２面は分割線により分割された第１領域と第２領域とを備え、該第１及び第２領域内のプリズムアレイは、該分割線について略対称であることを特徴とする請求項１又は２記載の導光板。
【請求項６】請求項１乃至４のいずれか１つに記載の導光板と、該導光板の上記端面に沿って配置された照明灯と、該照明灯から該端面と反対側へ射出される光を該端面側へ反射させる反射体と、を有することを特徴とする面光源。
【請求項７】請求項６記載の面光源が２つ、互いに逆方向に向けて２重に配置されていることを特徴とする面光源。
【請求項８】請求項５記載の導光板と、核導光板の、上記第１領域側の第１端面に沿って配置された第１照明灯と、抜第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体と、を有することを特徴とする面光源。
【請求項９】対向する平面の一方に、複数の頂線と谷線とを備えたプリズムアレイが形成され、該複数の頂線に接する仮想面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板、をさらに有することを特徴とする請求項６乃至８のいずれか１つに記載の面光源。
【請求項１０】上記導光板の上記第１平面側に対向配置された拡散板と、上記面光源の第２面側に対向配置された反射板と、をさらに有することを特徴とする請求項９記載の面光源。
【請求項１１】請求項１０記載の面光源と、上記導光板の上記第１平面側に対向配置された透過型かつ非発光型の表示パネルと、を有することを特徴とする非発光型表示装置。
【請求項１２】請求項６記載の面光源と、上記導光板の上記第１平面側に対向配置された反射型かつ非発光型の表示パネルと、を有することを特徴とする非発光型表示装置。」
を、
「【請求項１】端面から入射される光を第１平面から出射させる導光板であって、該第１平面と対向する第２面に、互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、複数の頂線と谷線とを備えたプリズムアレイが形成され、該複数の頂線とに接する第１仮想平面と該プリズムアレイの各プリズムの一方側の面とのなす角度αは空気に対する該導光板の臨界角に略等しく、該第１仮想平面と該プリズムアレイの各プリズムの他方側の面とのなす角度βが該角度αより小さく、１０゜以下であり、且つ該プリズムアレイにおけるプリズム深さは５〜５０μｍであることを特徴とする導光板。
【請求項２】上記端面が凸形状であることを特徹とする請求項１記載の導光板。
【請求項３】上記角度βは、上記端面から離れるほど大きくなっていることを特徴とする請求項１記載の導光板。
【請求項４】上記第２面は分割線により分割された第１領域と第２領域とを備え、該第１及び第２領域内のプリズムアレイは、該分割線について略対称であることを特徴とする請求項１記載の導光板。
【請求項５】請求項１乃至３のいずれか１つに記載の導光板と、該導光板の上記端面に沿って配置された照明灯と、該照明灯から該端面と反対側へ射出される光を該端面側へ反射させる反射体と、を有することを特徴とする面光源。
【請求項６】請求項５記載の面光源が２つ、互いに逆方向に向けて２重に配置されていることを特徴とする面光源。
【請求項７】請求項４記載の導光板と、核導光板の、上記第１領域側の第１端面に沿って配置された第１照明灯と、　抜第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体と、を有することを特徴とする面光源。
【請求項８】対向する平面の一方に、複数の頂線と谷線とを備えたプリズムアレイが形成され、該複数の頂線に接する仮想面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板、をさらに有することを特徴とする請求項５乃至７のいずれか１つに記載の面光源。
【請求項９】上記導光板の上記第１平面側に対向配置された拡散板と、上記面光源の第２面側に対向配置された反射板と、をさらに有することを特徴とする請求項８記載の面光源。
【請求項１０】請求項９記載の面光源と、上記導光板の上記第１平面側に対向配置された透過型かつ非発光型の表示パネルと、を有することを特徴とする非発光型表示装置。
【請求項１１】請求項５記載の面光源と、上記導光板の上記第１平面側に対向配置された反射型かつ非発光型の表示パネルと、を有することを特徴とする非発光型表示装置。」
と訂正し、明細書を上記特許請求の範囲の訂正に整合するように訂正し、また、明らかな誤記の訂正を行うものである。
　
（２）訂正の目的の適否、新規事項の有無及び拡張・変更の存否
　上記訂正は、特許請求の範囲においては、請求項１に係る発明のプリズムアレイを「互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、複数の頂線と谷線とを備えたプリズムアレイ」と限定し、「角度βが１０゜以下であり、且つ該プリズムアレイにおけるプリズム深さは５〜５０μｍである」という構成要件を付加して限定するものであるから、特許請求の範囲の減縮に該当し、明細書の段落【００１８】及び【００２６】の記載に基づく訂正であるから、新規事項の追加には該当せず、実質的に特許請求の範囲を拡張・変更するものにも該当しない。
　また、他の請求項の訂正は、請求項１の訂正に伴う、請求項２の削除と、請求項番号の繰り上げ等の訂正であり、特許請求の範囲の減縮又は明りょうでない記載の釈明に該当し、新規事項の追加には該当せず、実質的に特許請求の範囲を拡張・変更するものにも該当しない。
　さらに、明細書の訂正は、特許請求の範囲の記載に整合するように訂正するものは、明りょうでない記載の釈明に該当し、誤記の訂正を含め、新規事項の追加には該当せず、実質的に特許請求の範囲を拡張・変更するものにも該当しない。
　
（３）むすび
　以上のとおりであるから、本件訂正は、特許法等の一部を改正する法律（平成６年法律第１１６号）附則第６条第１項の規定によりなお従前の例によるとされる、特許法第１２０条の４第２項及び第３項において準用する平成６年法律第１１６号による改正前の特許法第１２６条第１項ただし書き及び第２項の規定に適合するので、当該訂正を認める。
　
３．特許異議の申立てについて
　本件特許第３０１２４６２号の請求項１ないし請求項１１に係る発明は、訂正された特許明細書及び図面の記載からみて、その特許請求の範囲の請求項１ないし請求項１１に記載された上記のとおりのものである。
　
　ところで、訂正された請求項１には、導光板の材料を特定することなく、
「第１仮想平面と該プリズムアレイの各プリズムの一方側の面とのなす角度αは空気に対する該導光板の臨界角に略等しく」
と記載されており、
　訂正された特許明細書の発明の詳細な説明には、段落【００１９】〜段落【００２４】にかけて、
　角度αの好ましい値について、導光板１０Ａがアクリル樹脂でその屈折率ｎが１．４９２である場合に、角度ηの正側範囲と負側範囲とが等しくなるのは、α＝４４°の場合であるとして、平面１０ａがアクリル樹脂の場合にはα＝４４°とすることにより、一般的には角度αを、導光板１０Ａの空気に対する臨界角とすることにより、平面１０ａの法線に対し対称的な強度分布の光が平面１０ａから出射されるので、透過型液晶表示パネル５０に対し好ましい条件となる旨記載されている。
　上記記載からみて、請求項１の「角度αは空気に対する該導光板の臨界角に略等しく」との構成要件は、角度ηの正側範囲と負側範囲とを等しくするための構成要件であると認められるところ、訂正後の明細書には、屈折率ｎが１．４９２であるアクリル樹脂の場合についてのみ、その臨界角が４２゜であり、角度ηの正側範囲と負側範囲とが等しくなるのはα＝４４°であることが開示されているものの、一般的に、角度αを導光板の臨界角に略等しくすれば、角度ηの正側範囲と負側範囲とが等しくなる理由は開示されていない。
　そして、単なる数値計算を行えば分かるとおり、屈折率が１．４９２であるアクリル樹脂の場合、角度αが４１゜、臨界角である４２゜、４３゜、４４゜及び４５゜における、角度ηの正側範囲と負側範囲は各々、１２．０〜１．５゜、９．０〜０゜、６．０〜−１．５゜、３．０〜−３．０゜及び０〜−４．５゜であり、角度αが臨界角に近い４１゜や臨界角である４２゜のものよりも、４５゜のものの方が偏りは小さくなっている。
　また同様に、屈折率が１．５９であるポリカーボネートの場合、角度αが３８゜、臨界角である３９゜、４０゜、４３゜及び４４゜における、角度ηの正側範囲と負側範囲は各々、２２．６〜１．６゜、１９．３〜０゜、１６．０〜−１．６゜、６．４〜−６，４゜及び３．１８〜−８．０であり、角度αが臨界角からかなり離れた角度である４３゜のときに、角度ηの正側範囲と負側範囲とが等しくなっており、また、角度αが臨界角に略等しい３８〜４０゜のものよりも、４４゜のものの方が偏りは小さくなっている。
　してみれば、本件明細書に記載されているアクリル樹脂の場合でさえ、角度αが臨界角に略等しければ、角度ηの正側範囲と負側範囲とが等しい、すなわち、対称的な強度分布の光が出射するとはいえないし、異なる材料であるポリカーボネートの場合には、角度αが臨界角からかなり離れた角度のときに対称的な強度分布の光が出射し、臨界角に略等しい角度のときには、光の強度分布はかなり偏っていることになるから、一般的に、角度αを導光板の臨界角に略等しいと規定することにより、対称的な強度分布の光が出射するという作用効果を奏するとは到底いえないものと認められる。
　また、特許明細書には、他に「角度αは空気に対する該導光板の臨界角に略等しく」することの意義を説明した箇所はない。
　
　それ故、本件特許明細書の発明の詳細な説明には、請求項１に係る発明を当業者が容易に実施できる程度に、請求項１に係る発明の目的、構成及び効果が記載されているとはいえず、本件出願は特許法第３６条第４項に規定する要件を満たしていない。
　さらに、請求項２ないし請求項１１は、請求項１を実質的に引用しているものであるから、本件特許明細書の発明の詳細な説明には、請求項２ないし請求項１１に係る発明を当業者が容易に実施できる程度に、その発明の目的、構成及び効果が記載されていないこととなり、本件出願は特許法第３６条第４項に規定する要件を満たしていない。
　
　以上のとおり、請求項１ないし請求項１１に係る発明の特許は、特許法第３６条第４項の規定に違反してなされたものである。
　
４．むすび
  以上のとおりであるから、本件の請求項１ないし請求項１１に係る発明の特許は、拒絶の査定をしなければならない特許出願に対してなされたものであるから、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、結論のとおり決定する。
【異議決定日】
平成１３年９月２７日（２００１．９．２７）
【訂正の要旨】
１．訂正事項１
　特許請求の範囲の請求項１ないし請求項１２の、
「【請求項１】端面から入射される光を第１平面から出射させる導光板であって、該第１平面と対向する第２面に、複数の頂線と谷線とを備えたプリズムアレイが形成され、該複数の頂線に接する仮想面と該プリズムアレイの各プリズムの一方側の面とのなす角度αは空気に対する該導光板の臨界角に略等しく、該仮想面と該プリズムアレイの各プリズムの他方側の面とのなす角度βが該角度αより小さい、ことを特徴とする導光板。
　【請求項２】上記臨界角は４２°であり、上記角度αは４３°であり、上記角度βは１０°以下であり、上記プリズムアレイにおけるプリズム深さは５〜５０μｍであることを特徴とする請求項１記載の導光板。
　【請求項３】上記端面が凸形状であることを特徹とする請求項１記載の導光板。
　【請求項４】上記角度βは、上記端面から離れるほど大きくなっていることを特徴とする請求項１記載の導光板。
　【請求項５】上記第２面は分割線により分割された第１領域と第２領域とを備え、該第１及び第２領域内のプリズムアレイは、該分割線について略対称であることを特徴とする請求項１又は２記載の導光板。
　【請求項６】請求項１乃至４のいずれか１つに記載の導光板と、該導光板の上記端面に沿って配置された照明灯と、該照明灯から該端面と反対側へ射出される光を該端面側へ反射させる反射体と、を有することを特徴とする面光源。
　【請求項７】請求項６記載の面光源が２つ、互いに逆方向に向けて２重に配置されていることを特徴とする面光源。
　【請求項８】請求項５記載の導光板と、核導光板の、上記第１領域側の第１端面に沿って配置された第１照明灯と、抜第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体と、を有することを特徴とする面光源。
　【請求項９】対向する平面の一方に、複数の頂線と谷線とを備えたプリズムアレイが形成され、該複数の頂線に接する仮想面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板、をさらに有することを特徴とする請求項６乃至８のいずれか１つに記載の面光源。
　【請求項１０】上記導光板の上記第１平面側に対向配置された拡散板と、上記面光源の第２面側に対向配置された反射板と、をさらに有することを特徴とする請求項９記載の面光源。
　【請求項１１】請求項１０記載の面光源と、上記導光板の上記第１平面側に対向配置された透過型かつ非発光型の表示パネルと、を有することを特徴とする非発光型表示装置。
　【請求項１２】請求項６記載の面光源と、上記導光板の上記第１平面側に対向配置された反射型かつ非発光型の表示パネルと、を有することを特徴とする非発光型表示装置。」
を、
「【請求項１】端面から入射される光を第１平面から出射させる導光板であって、該第１平面と対向する第２面に、互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、複数の頂線と谷線とを備えたプリズムアレイが形成され、該複数の頂線とに接する第１仮想平面と該プリズムアレイの各プリズムの一方側の面とのなす角度αは空気に対する該導光板の臨界角に略等しく、該第１仮想平面と該プリズムアレイの各プリズムの他方側の面とのなす角度βが該角度αより小さく、１０°以下であり、且つ該プリズムアレイにおけるプリズム深さは５〜５０μｍであることを特徴とする導光板。
　【請求項２】上記端面が凸形状であることを特徹とする請求項１記載の導光板。
　【請求項３】上記角度βは、上記端面から離れるほど大きくなっていることを特徴とする請求項１記載の導光板。
　【請求項４】上記第２面は分割線により分割された第１領域と第２領域とを備え、該第１及び第２領域内のプリズムアレイは、該分割線について略対称であることを特徴とする請求項１記載の導光板。
　【請求項５】請求項１乃至３のいずれか１つに記載の導光板と、該導光板の上記端面に沿って配置された照明灯と、該照明灯から該端面と反対側へ射出される光を該端面側へ反射させる反射体と、を有することを特徴とする面光源。
　【請求項６】請求項５記載の面光源が２つ、互いに逆方向に向けて２重に配置されていることを特徴とする面光源。
　【請求項７】請求項４記載の導光板と、核導光板の、上記第１領域側の第１端面に沿って配置された第１照明灯と、　抜第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体と、を有することを特徴とする面光源。
　【請求項８】対向する平面の一方に、複数の頂線と谷線とを備えたプリズムアレイが形成され、該複数の頂線に接する仮想面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板、をさらに有することを特徴とする請求項５乃至７のいずれか１つに記載の面光源。
　【請求項９】上記導光板の上記第１平面側に対向配置された拡散板と、上記面光源の第２面側に対向配置された反射板と、をさらに有することを特徴とする請求項８記載の面光源。
　【請求項１０】請求項９記載の面光源と、上記導光板の上記第１平面側に対向配置された透過型かつ非発光型の表示パネルと、を有することを特徴とする非発光型表示装置。
　【請求項１１】請求項５記載の面光源と、上記導光板の上記第１平面側に対向配置された反射型かつ非発光型の表示パネルと、を有することを特徴とする非発光型表示装置。」
と訂正する。
２．訂正事項２
　特許明細書の段落【０００４】、
「そこで、透過型液晶表示パネルについては、平面１０ａに対し面１０ｂを傾斜させ、面１０ｂに、図８（Ｂ）に示すような段差を形成し、段差部傾斜角を４５°にして、端面１０ｃから入射した光を段差部傾斜面で平面１０ａに対し略直角方向に反射させる面光源が提案されている。図中、１４は反射体、１６及び１８は反射板、２０は拡散板である。
　しかし、平面１０ａに対し面１０ｂが傾斜しているので、製造が容易でなくコスト高となり、かつ、表示パネルに対し平面１０ａが平行になるように面光源を取り付けなければならないので、取り付け作業が容易でない。」
を、
「そこで、透過型液晶表示パネルについては、平面１０ａに対し面１０ｂを傾斜させ、面１０ｂに、図８（Ｂ）に示すような段差を形成し、段差部傾斜角を４５°にして、端面１０ｃから入射した光を段差部傾斜面で平面１０ａに対し略直角方向に反射させる面光源が提案されている。図中、１４は反射体、１６及び１８は反射板、２０は拡散板である。」
と訂正する。
３．訂正事項３
　特許明細書の段落【０００７】、
「【課題を解決するための手段及びその作用効果】
　請求項１の発明は、端面から入射される光を第１平面から出射させる導光板であって、該第１平面と対向する第２面に、複数の頂線と谷線とを備えたプリズムアレイが形成され、該複数の頂線に接する仮想面と該プリズムアイの各プリズムの一方側の面とのなす角度αは空気に対する該導光板の臨界角に略等しく、該仮想面と該プリズムアレイの各プリズムの他方側の面とのなす角度βが該角度αより小さい。」
を、
「【課題を解決するための手段及びその作用効果】
　請求項１の発明は、端面から入射される光を第１平面から出射させる導光板であって、該第１平面と対向する第２面に、互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、複数の頂線と谷線とを備えたプリズムアレイが形成され、該複数の頂線とに接する第１仮想平面と該プリズムアイの各プリズムの一方側の面とのなす角度αは空気に対する該導光板の臨界角に略等しく、該第１仮想平面と該プリズムアレイの各プリズムの他方側の面とのなす角度βが該角度αより小さい。」
と訂正する。
４．訂正事項４
　特許明細書の段落【０００９】〜【０００１６】、
「【０００９】さらに、第２平面を第１平面に略平行にすることが可能であるので、第１平面に対し傾斜面を有する従来の導光板よりも容易かつ安価に製造することが可能となり、また、非発光表示装置に対する導光板の取り付けが容易である。
　【００１０】請求項２の導光板では、請求項１において、上記臨界角は４２°であり、上記角度αは４３°であり、上記角度βは１０°以下であり、上記プリズムアレイにおけるプリズム深さは５〜５０μｍである。プリズム深さが大き過ぎると、第１平面から出射する光強度の分布が不均一になり、小さすぎると、全反射用プリズム傾斜面の面積が狭くなり過ぎる。この間隔が一定の場合、角度βを大きくし過ぎると、プリズムピッチが短くなり過ぎて、照明灯が配置される一方の端面側のプリズム傾斜面で反射される光量が多くなり、対向する他方の端面側に進む光量が少なくなり、また、手前のプリズムでプリズム傾斜面に入射できる面積が狭くなる。逆に角度βを小さくし過ぎると、導光板内での光の平均光路長が長くなり過ぎて、減衰による損失が大きくなる。これらのことから好ましいプリズム深さ及び角度βの範囲が存在する。請求項２は、この好ましい範囲の態様である。
　【００１１】請求項３の導光板では、請求項１において、上記端面が凸形状である。この凸形状により、角度αの傾斜面に対する光透過量が低減するので、光のロスを低減することができる。
　【００１２】請求項４の導光板では、請求項１において、上記角度βは、上記端面から離れるほど大きくなっている。この導光板によれば、第１平面からの出射光強度の分布をより均一にすることが可能となる。請求項５の導光板では、請求項１又は２において、上記第２面は分割線により分割された第１領域と第２領域とを備え、該第１及び第２領域内のプリズムアレイは、該分割線について略対称である。この導光板の第１領域側の端面及び第２領域側の端面に沿って照明灯を配置すれば、第１平面からの出射光強度の分布を、対称でなく一方の端面に沿って照明灯を配置した場合よりも、均一にすることができる。
　【００１３】請求項６の面光源では、上記いずれか１つの導光板と、該導光板の上記端面に沿って配置された照明灯と、該照明灯から該端面と反対側へ射出される光を該端面側へ反射させる反射体とを有する。請求項７の面光源では、請求項６記載の面光源が２つ、互いに逆方向に向けて２重に配置されている。
　【００１４】この面光源によれば、光源面からの出射光強度の分布をより均一にすることができる。請求項８の面光源では、請求項５記載の導光板と、該導光板の、上記第１領域側の第１端面に沿って配置された第１照明灯と、該第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体とを有する。
　【００１５】請求項９の面光源では、対向する平面の一方に、複数の頂線と谷線とを備えたプリズムアレイが形成され、該複数の頂線に接する仮想面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板をさらに有する。この面光源によれば、導光板の第１平面に垂直かつ頂線を通る面内における指向性も向上する。
　【００１６】請求項１０の面光源では、請求項９においてさらに、上記導光板の第１平面側に対向配置された拡散板と、上記面光源の第２面側に対向配置された反射板とを有する。請求項１１の非発光型表示装置では、請求項１０記載の面光源と、上記導光板の上記第１平面側に対向配置された透過型かつ非発光型の表示パネルとを有する。請求項１２の非発光型表示装置では、請求項６記載の面光源と、上記導光板の上記第１平面側に対向配置された反射型かつ非発光型の表示パネルとを有する。」
を、
「【０００９】さらに、第２平面を第１平面に略平行にするので、第１平面に対し傾斜面を有する従来の導光板よりも容易かつ安価に製造することが可能となり、また、非発光表示装置に対する導光板の取り付けが容易である。
　【００１０】請求項１の導光板では、上記角度βは１０°以下であり、上記プリズムアレイにおけるプリズム深さは５〜５０μｍである。プリズム深さが大き過ぎると、第１平面から出射する光強度の分布が不均一になり、小さすぎると、全反射用プリズム傾斜面の面積が狭くなり過ぎる。この間隔が一定の場合、角度βを大きくし過ぎると、プリズムピッチが短くなり過ぎて、照明灯が配置される一方の端面側のプリズム傾斜面で反射される光量が多くなり、対向する他方の端面側に進む光量が少なくなり、また、手前のプリズムでプリズム傾斜面に入射できる面積が狭くなる。逆に角度βを小さくし過ぎると、導光板内での光の平均光路長が長くなり過ぎて、減衰による損失が大きくなる。これらのことから好ましいプリズム深さ及び角度βの範囲が存在する。請求項１は、この好ましい範囲の態様である。
　【００１１】請求項２の導光板では、請求項１において、上記端面が凸形状である。この凸形状により、角度αの傾斜面に対する光透過量が低減するので、光のロスを低減することができる。
　【００１２】請求項３の導光板では、請求項１において、上記角度βは、上記端面から離れるほど大きくなっている。この導光板によれば、第１平面からの出射光強度の分布をより均一にすることが可能となる。請求項４の導光板では、請求項１において、上記第２面は分割線により分割された第１領域と第２領域とを備え、該第１及び第２領域内のプリズムアレイは、該分割線について略対称である。この導光板の第１領域側の端面及び第２領域側の端面に沿って照明灯を配置すれば、第１平面からの出射光強度の分布を、対称でなく一方の端面に沿って照明灯を配置した場合よりも、均一にすることができる。
　【００１３】請求項５の面光源では、上記いずれか１つの導光板と、該導光板の上記端面に沿って配置された照明灯と、該照明灯から該端面と反対側へ射出される光を該端面側へ反射させる反射体とを有する。請求項６の面光源では、請求項５記載の面光源が２つ、互いに逆方向に向けて２重に配置されている。
　【００１４】この面光源によれば、光源面からの出射光強度の分布をより均一にすることができる。請求項７の面光源では、請求項４記載の導光板と、該導光板の、上記第１領域側の第１端面に沿って配置された第１照明灯と、該第１照明灯から該第１端面と反対側へ射出される光を該第１端面側へ反射させる第１反射体と、該導光板の、上記第２領域側の第２端面に沿って配置された第２照明灯と、該第２照明灯から該第２端面と反対側へ射出される光を該第２端面側へ反射させる第２反射体とを有する。
　【００１５】請求項８の面光源では、対向する平面の一方に、複数の頂線と谷線とを備えたプリズムアレイが形成され、該複数の頂線に接する第２仮想平面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板をさらに有する。この面光源によれば、導光板の第１平面に垂直かつ頂線を通る面内における指向性も向上する。
　【００１６】請求項９の面光源では、請求項８においてさらに、上記導光板の第１平面側に対向配置された拡散板と、上記面光源の第２面側に対向配置された反射板とを有する。請求項１０の非発光型表示装置では、請求項９記載の面光源と、上記導光板の上記第１平面側に対向配置された透過型かつ非発光型の表示パネルとを有する。請求項１１の非発光型表示装置では、請求項５記載の面光源と、上記導光板の上記第１平面側に対向配置された反射型かつ非発光型の表示パネルとを有する。」
と訂正する。
５．訂正事項５
　特許明細書の段落【００２２】〜【０００２４】、
「【００２２】
　上記数値関係から、角度αについて次の結論が得られる。
　【００２３】
　（１）角度αが４８°以上になると、平面１０ａから光が出射できない。
　（２）角度αが小さいと、角度θの範囲が広がるが、平面１０ａからの出射光は斜め方向の指向性を持つので好ましくない。
　（３）角度ηの正側範囲と負側範囲とが等しくなるのは、α＝４３°の場合である。
　【００２４】
　したがって、平面１０ａがアクリル樹脂の場合にはα＝４３°とすることにより、一般的には角度αを、導光板１０Ａの空気に対する臨界角とすることにより、平面１０ａの法線に対し対称的な強度分布の光が平面１０ａから出射されるので、透過型液晶表示パネル５０に対し好ましい条件となる。一方、角度β及びプリズム深さｄ（仮想面Ａ１とＡ２の間隔）の好ましい値は、次の通りである。」
を、
「【００２２】
　上記数値関係から、角度αについて次の結論が得られる。
　【００２３】
　（１）角度αが４８°以上になると、平面１０ａから光が出射できない。
　（２）角度αが小さいと、角度θの範囲が広がるが、平面１０ａからの出射光は斜め方向の指向性を持つので好ましくない。
　（３）角度ηの正側範囲と負側範囲とが等しくなるのは、α＝４４°の場合である。
　【００２４】
　したがって、平面１０ａがアクリル樹脂の場合にはα＝４４°とすることにより、一般的には角度αを、導光板１０Ａの空気に対する臨界角とすることにより、平面１０ａの法線に対し対称的な強度分布の光が平面１０ａから出射されるので、透過型液晶表示パネル５０に対し好ましい条件となる。一方、角度β及びプリズム深さｄ（仮想面Ａ１とＡ２の間隔）の好ましい値は、次の通りである。」
と訂正する。
６．訂正事項６
　特許明細書の段落【００３７】、
　【００３７】
「この面光源が無いと、暗い場所で反射型液晶表示パネル５０Ａの表示が見づらいが、このような面光源を反射型液晶表示パネル５０Ａに対し配置することにより、暗い場所でも表示が見やすくなり、かつ、その指向性により照明灯１２からの照明光を効率よく利用することができ、省電力化を図ることができる。また、α＝４３°に対しβ＝２°であるので、プリズムアレイ面１０ｄの大部分はほぼ平坦であり、レンチキュラーレンズを用いた場合よりも反射型液晶表示パネル５０Ａの表示面でのぼけが大幅に低減し、視認性がよい。」
を、
「この面光源が無いと、暗い場所で反射型液晶表示パネル５０Ａの表示が見づらいが、このような面光源を反射型液晶表示パネル５０Ａに対し配置することにより、暗い場所でも表示が見やすくなり、かつ、その指向性により照明灯１２からの照明光を効率よく利用することができ、省電力化を図ることができる。また、α＝４４°に対しβ＝２°であるので、プリズムアレイ面１０ｄの大部分はほぼ平坦であり、レンチキュラーレンズを用いた場合よりも反射型液晶表示パネル５０Ａの表示面でのぼけが大幅に低減し、視認性がよい。」
と訂正する。
（５４）【発明の名称】
導光板並びにこれを用いた面光源及び非発光型表示装置
（５７）【特許請求の範囲】
　【請求項１】　端面から入射される光を第１平面から出射させる導光板であって、
　該第１平面と対向する第２面に、
互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、
　該複数の頂線とに接する
第１仮想平面
第１仮想平面
１０°以下であり、
　
且つ該プリズムアレイにおけるプリズム深さは５〜５０μｍ
　
【請求項２】　上記端面が凸形状であることを特徴とする請求項１記載の導光板。
　
【請求項３】　上記角度βは、上記端面から離れるほど大きくなっていることを特徴とする請求項１記載の導光板。
　
【請求項４】　上記第２平面は分割線により分割された第１領域と第２領域とを備え、該第１及び２領域内のプリズムアレイは、該分割線について略対称であることを特徴とする請求項１の導光板。
　
【請求項５】　請求項１乃至３のいずれか１つに記載の導光板と、
　
該導光板の上記端面に沿って配置された照明灯と、該照明灯から該端面と反対側へ射出される光を該端面側へ反射させる反射体と、
を有することを特徴とする面光源。
　
【請求項６】　請求項５記載の面光源が２つ、互いに逆方向に向けて２重に配置されていることを特徴とする面光源。
　
【請求項７】　請求項４記載の導光板と、
　
該導光板の、上記第１領域側の第１端面に沿って配置された第１照明灯と、
　
該第１照明灯から該第１端面と反対側へ射出される光を該第１端面側へ反射させる第１反射体と、
　
該導光板の、上記第２領域側の第２端面に沿って配置された第２昭明灯と、
　
該第２照明灯から該第２端面と反対側へ射出される光を該第２端面側へ反射させる第２反射体と、
　
を有することを特徴とする面光源。
　
【請求項８】　対向する平面の一方に、複数の頂線と谷線とを備えたプリズムアレイか形成され、該複数の頂線に接する第２仮想平面とこのプリズムアレイの各プリズムの一方側及び他方側の面とのなす角度が互いに等しく、上記導光板の第１平面側に、プリズム頂線を該導光板のプリズム頂線と略直角な方向に向けて対向配置されたプリズムアレイ板、をさらに有することを特徴とする請求項５乃至７のいずれか１つに記載の面光源。
　【
請求項９】　上記導光板の上記第１平面側に対向配置された拡散板と、
　
上記面光源の第２面側に対向配置された反射板と、
をさらに有することを特徴とする請求項８記載の面光源。
　【
請求項１０】　請求項９記載の面光源と、
　
上記導光板の上記第１平面側に対向配置された透過型かつ非発光型の表示パネルと、を有することを特徴とする非発光型表示装置。
　
【請求項１１】　請求項５記載の面光源と、
　
上記導光板の上記第１平面側に対向配置された反射型かつ非発光型の表示パネルと、を有することを特徴とする非発光型表示装置。
【発明の詳細な説明】
　【０００１】
　【産業上の利用分野】
　本発明は、液晶表示装置のような非発光型表示装置に用いて好適な導光板並びにこれを用いた面光源及び非発光型表示装置に関する。
　【０００２】
　【従来の技術】
　図８（Ａ）は、この種の従来のエッジライト型面光源を示す。
　導光板１０の一端面に、この端面に沿った紙面垂直方向の直管形照明灯１２が配置され、その照明光が、導光板１０の平面１０ａ側に配置された不図示の透過型液晶表示パネルに対する面照明光に変換される。
　【０００３】
　透過型液晶表示パネルは、視野角特性を有するので、この特性に応じた指向性の光を導光板１０の平面１０ａから射出させることにより、光利用効率を向上させて、低消費電力化を図ることができる。この目的のために、平面１０ａにレンチキュラーレンズが重ねられる（特開平６−２２２２０７号公報）。しかし、レンチキュラーレンズを重ねるために面光源が厚く且つ重くなり、しかも高価となる。また、レンチキュラーレンズを反射型液晶表示パネルに用いた場合には、その全反射層のぼけのために、液晶表示パネルの表示が見づらくなる。
　【０００４】
　
そこで、透過型液晶表示パネルについては、平面１０ａに対し面１０ｂを傾斜させ、面１０ｂに、図８（Ｂ）に示すような段差を形成し、段差部傾斜角を４５°にして、端面１０ｃから入射した光を段差部傾斜面で平面１０ａに対し略直角方向に反射させる面光源が提案されている。図中、１４は反射体、１６及び１８は反射板、２０は拡散板である。
　【０００５】
　【発明が解決しようとする課題】
　しかし、平面１０ａに対し面１０ｂが傾斜しているので、製造が容易でなくコスト高となり、かつ、表示パネルに対し平面１０ａが平行になるように面光源を取り付けなければならないので、取り付け作業が容易でない。
　本発明の目的は、このような問題点に鑑み、製造容易で非発光型表示装置に対する取り付けが容易な導光板並びにこれを用いた面光源及び非発光型表示装置を提供することにある。
　【０００６】
　また、本発明の他の目的は、反射型かつ非発光型の表示装置の視認性を向上させることができる導光板並びにこれを用いた面光源及び非発光型表示装置を提供することにある。
　【０００７】
　【課題を解決するための手段及びその作用効果】
　請求項１の発明は、端面から入射される光を第１平面から出射させる導光板であって、
　該第１平面と対向する第２面に、
互いに平行な頂線と谷線とが交互に存在し、該谷線が該第１平面と平行な第１仮想平面内にほぼ存在し、該頂線が該第１平面と平行で該第１平面に対し該第１仮想平面よりも離れた第２仮想平面内にほぼ存在する、
　該複数の頂線とに接する
第１仮想平面
第１仮想平面
　【０００８】
　角度αが、空気に対する導光板の臨界角に略等しいので、導光板の一端面から入射した光は、該一方側の面で全反射され、該第１平面からその法線に関し略対称に出射して、非発光型表示装置に対する照明光の利用効率が向上する。また、角度βが角度αより小さいので、第１平面から出射される光の強度分布が導光板の該一端面側で特に大きくなるのを抑制でき、さらに、プリズムアレイ面の凹凸が比較的小さく、本発明の導光板を反射型かつ非発光型の表示装置に適用した場合、レンチキュラーレンズを用いた場合よりも表示装置の表示面でのぼけが低減し、視認性を向上させることができる。
　【０００９】
　さらに、第２平面を第１平面に略平行に
するので
　【００１０】
　
請求項１の導光板では、
　プリズム深さが大き過ぎると、第１平面から出射する光強度の分布が不均一になり、小さすぎると、全反射用プリズム傾斜面の面積が狭くなり過ぎる。この間隔が一定の場合、角度βを大きくし過ぎると、プリズムピッチが短くなり過ぎて、照明灯が配置される一方の端面側のプリズム傾斜面で反射される光量が多くなり、対向する他方の端面側に進む光量が少なくなり、また、手前のプリズムでプリズム傾斜面に入射できる面積が狭くなる。逆に角度βを小さくし過ぎると、導光板内での光の平均光路長が長くなり過ぎて、減衰による損失が大きくなる。これらのことから好ましいプリズム深さ及び角度βの範囲が存在する。
請求項１
　【００１１】
　
請求項２
　【００１２】
　
請求項３
請求項４
請求項１
平
　【００１３】
　
請求項５
請求項５
　【００１４】
　この面光源によれば、光源面からの出射光強度の分布をより均一にすることができる。
請求項７
請求項４
該
該
　【００１５】
　
請求項８
第２仮想平面
　【００１６】
　
請求項９
請求項８
請求項１０
請求項９
請求項１１
請求項５
　【００１７】
　【実施例】
　以下、図面に基づいて本発明の実施例を説明する。図中、同一又は類似の構成要素には、同一又は類似の符号を付している。
［第１実施例］
　図２は、第１実施例の面光源を示す。
　【００１８】
　導光板１０Ａの一端面に、この端面に沿った紙面垂直方向の直管形照明灯１２、例えば冷陰極管又は熱陰極管が配置され、その照明光が、導光板１０の平面１０ａから射出される面照明光に変換される。この面光源は、非発光型かつ透過型の表示装置、例えば透過型液晶表示パネル５０に用いられる。
　視野角特性を有する透過型液晶表示パネル５０の光利用効率を向上させるために、導光板１０Ａは、平面１０ａと反対側の面１０ｄにプリズムアレイが形成されている。このプリズムアレイは、紙面垂直方向に延びた互いに平行な頂線Ｔと谷線Ｖとが交互に存在し、全ての谷線Ｖが仮想面Ａ１内に存在し、全ての頂線Ｔが仮想面Ａ２内に存在し、かつ、仮想面Ａ１及びＡ２が平面１０ａと平行になっている。谷線Ｖの両側の傾斜面Ｓ１及びＳ２の仮想面Ａ２に対する傾斜角をそれぞれ角度α及びβとする。
　【００１９】
　最初に、角度αの好ましい値を図１に基づいて説明する。
　端面１０ｃから、その法線に対し角度θで導光板１０Ａ内に入射した光は、一点鎖線で示すように進み、傾斜面Ｓ１に対し角度γで入射し、平面１０ａに対し角度δで入射し、平面１０ａから角度ηで出射する。この場合、次の関係式が成立する。
　【００２０】
　δ＝９０°−（θ＋２α）　・・・（１）
　γ＝９０°−（θ＋α）　　・・・（２）
　ｓｉｎη＝ｎ・ｓｉｎδ　　・・・（３）
ここに、ｎは空気に対する導光板１０Ａの屈折率である。以下、導光板１０Ａがアクリル樹脂でその屈折率ｎが１．４９２である場合を考える。
　【００２１】
　この場合の臨界角は４２°であり、平面１０ａで全反射されて導光板１０Ａ内を光が伝播可能な条件は−４８°≦θ≦４８°となる。傾斜面Ｓ１に入射した光が傾斜面Ｓ１で全反射される条件はγ≧４２°となる。傾斜面Ｓ１で全反射され、次いで平面１０ａを透過可能な条件はδ＜４２となる。これらの条件及び式（１）〜（３）を用いて、次のような数値関係が得られる。
　【００２２】
　上記数値関係から、角度αについて次の結論が得られる。
　【００２３】
　（１）角度αが４８°以上になると、平面１０ａから光が出射できない。
　（２）角度αが小さいと、角度θの範囲が広がるが、平面１０ａからの出射光は斜め方向の指向性を持つので好ましくない。
　（３）角度ηの正側範囲と負側範囲とが等しくなるのは、α＝
４４°
　【００２４】
　したがって、平面１０ａがアクリル樹脂の場合にはα＝
４４°
　一方、角度β及びプリズム深さｄ（仮想面Ａ１とＡ２０の間隔）の好ましい値は、次の通りである。
　【００２５】
　プリズム深さｄが大き過ぎると、平面１０ａから出射する光強度の分布が不均一になり、小さすぎると、全反射用プリズム傾斜面Ｓ１の面積が狭くなり過ぎる。プリズム深さｄが一定の場合、角度βを大きくし過ぎると、隣合う頂線Ｔの間隔、すなわちプリズムピッチが短くなり過ぎ、端面１０ｃ側の傾斜面Ｓ１で反射される光量が多くなって、端面１０ｅ側に進む光量が少なくなり、また、手前のプリズムで傾斜面Ｓ１に入射できる面積が狭くなる。逆に角度βを小さくし過ぎると、導光板１０Ａ内での光の平均光路長が長くなり過ぎて、減衰による損失が大きくなる。
　【００２６】
　このようなことから角度β及びプリズム深さｄには面光源用として好ましい範囲が存在する。実用的なこの範囲は、一般的に、角度βが１０°以下、深さｄが５μｍ以上５０μｍ以下程度であることを知見した。
　透過型又は反射型の液晶表示装置の面光源用として特に好ましい角度βの値は、数値解析の結果、導光板１０Ａがアクリル樹脂、深さｄが上記範囲内、かつ、端面１０ｃと１０ｅ間の長さ（幅）が３０〜２００ｍｍの範囲内という実用的な条件下で、約２°という極めて小さい角度であることを本発明者は知見した。
　【００２７】
　図２において、照明灯１２を囲繞する、紙面垂直方向に延びた反射体１４の内面形状は、端面１０ｃに入射する光の大部分が−８°≦θ≦８°の範囲内になるようにすること、すなわち傾斜面Ｓ１を光が透過しないことが好ましい。また、プリズムアレイ面１０ｄを透過した光のロスを低減するために、プリズムアレイ面１０ｄに反射板１６が対向配置され、端面１０ｅを透過した光のロスを低減するために、端面１０ｅに接して反射板１８が配置されている。さらに、出射光強度分布を均一化するために、平面１０ａに接して拡散板２０が配置されている。
反射板１６、１８及び拡散板２０は、シート状又はフイルム状の薄いものを用いることができる。
　【００２８】
　導光板１０Ａは、射出成形した樹脂製透明平行板の一面に対し、プリズムアレイの模様が刻設された型板でホットプレスをした後、冷却することにより、容易に得られ、傾斜面を有する図８の導光板１０よりも容易かつ安価に製造することができる。また、仮想面Ａ２が平面１０ａと平行であるので、透過型液晶表示パネル５０に対する面光源の取り付けが容易である。
　【００２９】
［第２実施例］
　図３は、第２実施例の面光源を示す。
　この面光源は、平面１０ａの端面１０ｆをシリンドリカルレンズのように凸面にして、図２の場合よりもさらに、端面１０ｃに入射する光が−８°≦θ≦８°の範囲内になるようにしている。
　【００３０】
　これにより、プリズムアレイ面１０ｄを透過する光量が低減し、平面１０ａから出射する光の指向性がその法線に対しより対称的となる。
　また、拡散板２０と平面１０ａとの間に、例えば特開平６−１３０３８７に開示されているようなプリズムアレイ板２２を配置している。プリズムアレイ板２２は、これに対し斜め入射する光を法線側に曲げて指向性を向上させるためのものである。プリズムアレイ板２２は、図３（Ｂ）に示すように、導光板１０Ａのプリズムアレイにおいてα＝βとした形状となっておりその頂角は例えば、９４°である。
　【００３１】
　プリズムアレイ板２２は、そのプリズム頂線をプリズムアレイ面１０ｄのプリズム頂線Ｔと直角にして配置されている。このように配置することにより、紙面垂直方向の面内における指向性も向上する。
［第３実施例］
　図４は、第３実施例の面光源を示す。
　【００３２】
　図２の面光源では、角度βを全て同一にしているので、角度βを小さくしても端面１０ｅ側の傾斜面Ｓ１に入射する光量が少なくなる。
　そこで、導光板１０のプリズムアレイ面１０ｇについて、端面１０ｃから端面１０ｅ側に近づくほど、角度βを大きくすることによりプリズムピッチｐを徐々に短くしている。これにより、単位面積当たりの傾斜面Ｓ１が端面１０ｅ側に近づくほど広くなるので、平面１０ａからの出射光強度の分布を図１の場合よりも均一にすることができる。
　【００３３】
　なお、プリズムアレイ面１０ｇを複数領域に分け、領域単位でプリズムピッチｐを変化させてもよい。
　また、角度βを大きくすると手前のプリズムで妨げられて傾斜面Ｓ１に入射できる面積が狭くなるので、好ましくは角度βの範囲は上述と同様に１０°以下とする必要がある。
　【００３４】
［第４実施例］
　図５は、第４実施例の面光源を示す。
　この面光源は、図１の面光源を２つ用い、互いに逆方向にし且つ重ね合わせている。但し、光出射側の面光源は反射板１６を省略し、他方の面光源は拡散板２０を省略している。
　【００３５】
　この第４実施例によれば、拡散板２０側の導光板表面からの出射光強度の分布を図１の場合よりも均一にすることができる。
［第５実施例］
　図５の面光源は、二重構造であるので厚くなる。そこで、第５実施例の面光源では、図６に示す如く、導光板１０Ｃのプリズムアレイ面１０ｈを、端面１０ｃと端面１０ｅの真ん中の紙面に垂直な直線で、領域Ｒ１と領域Ｒ２とに等分割し、プリズムアレイ面１０ｈの形状をこの分割線に対し対称にしている。そして、端面１０ｃ側の照明灯１２及び反射体１４と対称的に、端面１０ｅ側に照明灯３２及び反射体３４を配置している。
　【００３６】
　本第５実施例によれば、図５の面光源よりも薄くでき、かつ、図１の導光板よりも、平面１０ａからの出射光強度の分布を均一にすることができる。
［第６実施例］
　以上の面光源は透過型且つ非発光型の表示パネルに対するものであるが、図７に示すように、反射型且つ非発光型の表示パネル、例えば反射型液晶表示パネル５０Ａに対する面光源としても用いることもできる。この面光源は、図２において拡散板２０及び反射板１６を省略し、透過型液晶表示パネル５０を反射型液晶表示パネル５０Ａで置き換え、上下方向に関し反転させた構成となっている。
　【００３７】
　この面光源が無いと、暗い場所で反射型液晶表示パネル５０Ａの表示が見づらいが、このような面光源を反射型液晶表示パネル５０Ａに対し配置することにより、暗い場所でも表示が見やすくなり、かつ、その指向性により照明灯１２からの照明光を効率よく利用することができ、省電力化を図ることができる。
　また、α＝
４４°
　【００３８】
　明るい所では照明灯１２を消灯すればよいので、透過型液晶表示装置よりも消費電力を低減でき、携帯型ＯＡ機器に好適である。
　本発明には他にも種々の変形例が含まれる。
　例えば、図７の構成に、図３乃至図６の方式を適用した構成であってもよいことは勿論である。
　【００３９】
　また、導光板１０は、アクリル樹脂等の透明物質に限定されず、平面１０ａからの出射光強度分布をより均一化するために、ぼけが目立たない程度の光散乱性を有する物質、例えば、メタクリル酸メチルと、安息香酸ビニルもしくは三フッ素化メタクリル酸メチルなどのビニル系低分子との共重合体で形成されたものであってもよい。
示装置に適用した場合、レンチキュラーレンズを用いた場合よりも表示装置の表示面でのぼけが低減し、視認性を向上させることができるという効果を奏する。
【図面の簡単な説明】
　【図１】
　本発明の原理構成を示す光路図である。
　【図２】
　本発明の第１実施例の面光源を示す断面図である。
　【図３】
　本発明の第２実施例の面光源を示す断面図である。
　【図４】
　本発明の第３実施例の面光源を示す断面図である。
　【図５】
　本発明の第４実施例の面光源を示す断面図である。
　【図６】
　本発明の第５実施例の面光源を示す断面図である。
　【図７】
　本発明の第６実施例の面光源を示す断面図である。
　【図８】
　従来の面光源を示す断面図である。
　【符号の説明】
　１０、１０Ａ〜１０Ｃ　導光板
　１０ｄ、１０ｇ、１０ｈ　プリズムアレイ面
　１２、３２　照明灯
　１４、３４　反射体
　１６、１８　反射板
　２０　拡散板
　２２　プリズムアレイ板
　５０　透過型液晶表示パネル
　５０Ａ　反射型液晶表示パネル
　Ｖ　谷線
　Ｔ　頂線